(57)【要約】【課題】同じ体積でも大きな表面積を確保でき、交換等の際の折り畳みも簡単に行え、接着工程も最小限となる紙パックフィルタを提供する。【解決手段】紙パックフィルタ１は、中央に透孔が形成される台紙２と、その台紙２の片面に開口が接着される有底筒状の紙製フィルタ５とからなり、紙製フィルタ５を、各側面において山部６と谷部７とが交互に表れ、且つ隣接する側面間では山部６と谷部７とが互い違いにずれる蛇腹となる角筒状に折り畳んで形成している。【選択図】図１
2010246605.tif 000002
【特許請求の範囲】
【請求項１】
中央に透孔が形成される台紙と、その台紙の片面に開口が接着される有底筒状の紙製フィルタとからなる紙パックフィルタであって、
前記紙製フィルタを、各側面において山部と谷部とが交互に表れ、且つ隣接する側面間では前記山部と谷部とが互い違いにずれる蛇腹となる角筒状に折り畳んだことを特徴とする紙パックフィルタ。
【請求項２】
中央に透孔が形成される台紙と、その台紙の片面に開口が接着される有底筒状の紙製フィルタとからなる紙パックフィルタであって、
前記紙製フィルタを、各側面において山部と谷部とが交互に、且つ隣接する側面間で前記山部と谷部とが周方向に揃うように形成され、前記山部と谷部とが同じ長さで表れる側面と、前記谷部が前記山部よりも短い長さで表れる側面とが交互に隣接する蛇腹となる角筒状に折り畳んだことを特徴とする紙パックフィルタ。
【請求項３】
モータと、そのモータの出力軸の回転に伴って回転する吸塵用の吸込ファンと、その吸込ファンで吸塵される粉塵を貯留する吸塵部とを設けた吸塵機能付電動工具であって、
前記吸塵部に、請求項１又は２に記載の紙パックフィルタを収容したことを特徴とする吸塵機能付電動工具。
【発明の詳細な説明】
【技術分野】
【０００１】
本発明は、吸塵機能付電動工具等に使用される紙パックフィルタと、その紙パックフィルタを用いた吸塵機能付電動工具とに関する。
【背景技術】
【０００２】
ハンマードリル等の電動工具においては、穿孔作業等の際に生じる粉塵を工具際で吸引して集塵する吸塵装置が具備されるものがある。この吸塵機能付電動工具は、工具先端側へ接続されるフレキシブルホースと、そのフレキシブルホースを介して外気を吸い込む吸込ファンとを備えると共に、吸込ファンの上流に設けた吸塵部に紙パックフィルタを設けて、吸塵部に導かれた粉塵を紙パックフィルタで捕捉するようになっている。この紙パックフィルタは、単純な袋状であると短時間で目詰まりを起こして吸塵機能を低下させてしまうため、蛇腹状等に折り畳んで表面積を大きくする工夫がなされている。例えば特許文献１には、いわゆる三浦折りで折り畳んだ掃除機用の紙パックフィルタが開示されている。
【先行技術文献】
【特許文献】
【０００３】
【特許文献１】特開２００５−２８７７１１号公報
【発明の概要】
【発明が解決しようとする課題】
【０００４】
しかし、三浦折りの紙パックフィルタは、表面積を稼ぐことはできるが、スムーズに折り畳むことが難しく、紙パックフィルタを交換する際に手間取ることが多い。また、折り目を入れた上下一対の濾紙の三辺を互いに接着して袋状にするため、接着に手間が掛かり、製造コストもかさむことになる。
【０００５】
そこで、本発明は、同じ体積でも大きな表面積を確保できるのは勿論、交換等の際の折り畳みも簡単に行え、而も接着工程も最小限となって製造コストも低減される紙パックフィルタ及び吸塵機能付電動工具を提供することを目的とするものである。
【課題を解決するための手段】
【０００６】
上記目的を達成するために、請求項１に記載の発明は、中央に透孔が形成される台紙と、その台紙の片面に開口が接着される有底筒状の紙製フィルタとからなる紙パックフィルタであって、紙製フィルタを、各側面において山部と谷部とが交互に表れ、且つ隣接する側面間では山部と谷部とが互い違いにずれる蛇腹となる角筒状に折り畳んだことを特徴とするものである。
上記目的を達成するために、請求項２に記載の発明は、中央に透孔が形成される台紙と、その台紙の片面に開口が接着される有底筒状の紙製フィルタとからなる紙パックフィルタであって、紙製フィルタを、各側面において山部と谷部とが交互に、且つ隣接する側面間で山部と谷部とが周方向に揃うように形成され、山部と谷部とが同じ長さで表れる側面と、谷部が山部よりも短い長さで表れる側面とが交互に隣接する蛇腹となる角筒状に折り畳んだことを特徴とするものである。
上記目的を達成するために、請求項３に記載の発明は、モータと、そのモータの出力軸の回転に伴って回転する吸塵用の吸込ファンと、その吸込ファンで吸塵される粉塵を貯留する吸塵部とを設けた吸塵機能付電動工具であって、吸塵部に、請求項１又は２に記載の紙パックフィルタを収容したことを特徴とするものである。
【発明の効果】
【０００７】
請求項１及び２に記載の発明によれば、同じ体積でも大きな表面積を確保できるのは勿論、交換等の際の折り畳みも簡単に行える。また、一枚の紙から角筒状に折り込むことができ、接着工程も最小限となるため、製造コストも低減される。
請求項３に記載の発明によれば、紙パックフィルタの交換が容易に行えると共に、使用中も最適な形状で集塵が行える。而も空気の通過に伴って紙製フィルタが伸縮し、塵落とし作用も得られるため、目詰まりが生じにくくなって交換頻度が少なくて済む。
【図面の簡単な説明】
【０００８】
【図１】形態１の紙パックフィルタの斜視図である。
【図２】形態１の紙パックフィルタの説明図で、（Ａ）が平面、（Ｂ）が正面、（Ｃ）が縦断面を夫々示す。
【図３】形態１の紙製フィルタの展開図である。
【図４】吸塵ハンマードリルの説明図である。
【図５】形態２の紙パックフィルタの斜視図である。
【図６】形態２の紙パックフィルタの説明図で、（Ａ）が平面、（Ｂ）が側面を夫々示す。
【図７】形態２の紙製フィルタの展開図である。
【発明を実施するための形態】
【０００９】
以下、本発明の実施の形態を図面に基づいて説明する。
［形態１］
図１，２に示す紙パックフィルタ１は、中央に透孔３を開口し、上下に突起４，４を突設した矩形状の台紙２の片面に、有底四角筒状の紙製フィルタ５の開口を接着してなる。
この紙製フィルタ５は、蛇腹を有する四角筒状に折り込まれて軸方向へ伸縮可能となっているが、この蛇腹は、各側面においては山部６と谷部７とが交互に表れる一方、隣接する側面間では山部６と谷部７とが互い違いにずれるように折り込まれており、角部には、隣接する側面間で山部６，６同士をジグザグに繋ぐ傾斜山部８，８・・が形成されている。
【００１０】
紙製フィルタ５の折り込みは、図３に示すように、矩形状の一枚の紙Ｐに、長手方向に等間隔で折り線１０を、実線を山折り（山部６となる）、一点鎖線を谷折り（谷部７となる）として交互に設定すると共に、隣接する折り線１０，１０間でも、山折り（山部６）と谷折り（谷部７）とが交互となるように設定する。さらに、隣接する折り線１０，１０間で山折りと谷折りとの境目間を実線で繋いで山折り（傾斜山部８となる）として、これらの折り目に合わせて折り込む。すると、紙Ｐは、ジグザグに繋がる傾斜山部８で仕切られる長手方向の部分Ｓ１〜Ｓ４が夫々側面となり、両端が繋がらない四角筒状となる。
【００１１】
そして、短手方向両端の側面Ｓ４同士を重ねてのりしろ部分Ｑ，Ｑで接着すると、蛇腹の四角筒となり、一方の開口に底部９を接着して閉塞すると、紙製フィルタ５ができあがる。よって、紙製フィルタ５の開口を台紙２の片面に、透孔３が紙製フィルタ５の開口の中心に位置するように接着すれば、図１に示す紙パックフィルタ１が完成する。この紙パックフィルタ１は、紙製フィルタ５が蛇腹の四角筒状であるため、伸縮がスムーズに行われる。
【００１２】
この紙パックフィルタ１は、例えば図４に示す吸塵ハンマードリルのような吸塵機能付電動工具に用いられる。この吸塵ハンマードリル２０は、全体が倒Ｌ字形（ピストル形）で、そのハウジングは、図示しない回転／打撃機構を収容する前ハウジング２１（図４の左側を前方とする。）と、図示しないモータを収容する後ハウジング２２とに分割されて、後ハウジング２２の後端には、前方にトリガー２４を突出させたハンドル２３が形成されている。
【００１３】
また、前ハウジング２１と後ハウジング２２との間には、収容室２５が区画形成され、その収容室２５には、モータの出力軸と連結されて一体回転する吸込ファン２６が収容されている。一方、前後ハウジング２１，２２の下方には、収容室２５に連通する吸塵部となる吸塵ボックス２７が連結されている。この吸塵ボックス２７は、前面にフレキシブルホース２９の接続口２８を形成した四角箱体で、フレキシブルホース２９は、前ハウジング２１前端のビット装着部３０に装着された図示しないビットを覆う蛇腹状の吸塵ホース３１に接続されている。３２はサイドハンドルである。
【００１４】
さらに、吸塵ボックス２７の下面には、前端の軸３４を中心に開閉可能な蓋体３３が設けられて、吸塵ボックス２７の内面における前端際と蓋体３３の基端側とには、紙パックフィルタ１の台紙２に設けた突起４，４の係合部３５，３６が形成されている。
よって、紙パックフィルタ１を軸方向へ小さく折り畳んだ状態で、台紙２の一方の突起４を上側の係合部３５に係合させ、そのまま他方の突起４が蓋体３３の係合部３６に係合するようにして蓋体３３を閉じると、紙パックフィルタ１は、台紙２が吸塵ボックス２７内の前方に位置して透孔３が接続口２８に対向する状態でセットされる。紙製フィルタ５は軸方向へ簡単に折り畳んで縮めることができるので、紙パックフィルタ１の収容はスムーズに行える。また、収容後は紙製フィルタ５が自然に伸び、吸塵ボックス２７内で最適な形状を保つことができる。
【００１５】
そして、吸塵ハンマードリル２０のトリガー２４を押し操作してモータを駆動させると、回転／打撃機構が動作して、選択した動作モードでビットに回転及び／又は打撃を付与し、穿孔作業等が可能となる。
モータの駆動と同時に吸込ファン２６が回転すると、吸塵ホース３１から外気が吸い込まれ、フレキシブルホース２９から吸塵ボックス２７に進入し、紙パックフィルタ１の紙製フィルタ５を通過した後、吸塵ハンマードリル２０の収容室２５に進入して後ハウジング２２を通過して外部へ排出される。
【００１６】
この空気の流れにより、作業中に発生した粉塵は、外気と共に吸塵ホース３１からフレキシブルホース２９を介して吸塵ボックス２７に進入し、そこで紙パックフィルタ１の紙製フィルタ５に捕捉されて紙製フィルタ５内に貯留する。このとき、紙製フィルタ５内を通過する空気によって紙製フィルタ５が伸縮するため、紙製フィルタ５の内面に粉塵が付着しにくく、たとえ付着しても紙製フィルタ５の伸縮動作の繰り返しによって内面から剥離しやすい。よって、紙製フィルタ５に目詰まりが起こりにくくなる。
【００１７】
なお、粉塵の貯留等によって紙パックフィルタ１を交換する際は、前述のように蓋体３３を開放して台紙２を係合部３５，３６から抜き取れば、紙パックフィルタ１を吸塵ボックス２７から取り出すことができる。新たな紙パックフィルタ１を装着する際は前述と同じ手順で行えばよい。
【００１８】
このように、上記形態１の紙パックフィルタ１によれば、紙製フィルタ５を、各側面において山部６と谷部７とが交互に表れ、且つ隣接する側面間では山部６と谷部７とが互い違いにずれる蛇腹となる角筒状に折り畳んだことで、同じ体積でも大きな表面積を確保できるのは勿論、交換等の際の折り畳みも簡単に行える。また、一枚の紙から角筒状に折り込むことができ、接着工程も最小限となるため、製造コストも低減される。
そして、上記形態の吸塵ハンマードリル２０によれば、吸塵ボックス２７に紙パックフィルタ１を収容したことで、紙パックフィルタ１の交換が容易に行えると共に、使用中も最適な形状で集塵が行える。而も空気の通過に伴って紙製フィルタ５が伸縮し、塵落とし作用も得られるため、目詰まりが生じにくくなって交換頻度が少なくて済む。
【００１９】
なお、上記形態１では、紙製フィルタ５の底部９を紙Ｐと別体にして接着するようにしているが、紙における開口の一辺に底部を予め連設しておいて、接着部分を減らすようにしてもよい。
また、上記形態１では紙製フィルタを四角筒状としているが、傾斜山部の角度を変えて側面を増やすことで、六角形や八角形等の角筒状とすることもできる。
【００２０】
［形態２］
次に、紙パックフィルタの他の形態を説明する。なお、形態１と同じ構成部には同じ符号を付して重複する説明を省略する。
図５に示す紙パックフィルタ１ａにおいて、紙製フィルタ５ａも、蛇腹を有する四角筒状に折り込まれて軸方向へ伸縮可能となっているが、ここでの蛇腹は、各側面において山部６と谷部７とが、交互に且つ周方向で揃うように形成されると共に、図６に示すように、山部６と谷部７とが同じ長さで表れる側面１１（同図（Ａ））と、谷部７が山部６よりも短い長さで表れる側面１２（同図（Ｂ））とが交互に形成されるように折り込まれている。また、隣接する側面１１，１２間には、側面１１の山部６と谷部７との端部間をジグザグに繋いで側面１２の谷部７の両端側へ突出する格好で折り込まれる折り込み部１３，１３・・が形成されている。
【００２１】
この紙製フィルタ５ａの折り込みも、図７に示すように、矩形状の一枚の紙Ｐに、長手方向に等間隔で折り線１０を、実線を山折り（山部６となる）、一点鎖線を谷折り（谷部７となる）として交互に設定すると共に、側面１１，１２の境目となる部分を長手方向の実線に設定する。短手方向の両端はのりしろ部分Ｑとなる。
さらに、側面１２となる部分の短手方向両端では、長い山部６ａと短い谷部７ａとの端部同士を折り線１０から４５°の角度でジグザグに傾斜する一点鎖線で繋ぎ、短い谷部７ａの端部と、隣接する側面１１の谷部７の端部との間は実線で繋いで、ここに折り込み部１３が形成されるようになっている。
よって、これらの折り目に合わせて紙Ｐを折り込むと、長手方向の部分Ｓ１〜Ｓ４が夫々側面１１，１２となり、両端が繋がらない四角筒状となる。
【００２２】
そして、短手方向両端の側面Ｓ４同士を重ねてのりしろ部分Ｑ，Ｑで接着すると、蛇腹の四角筒となり、一方の開口に底部９を接着して閉塞すれば、紙製フィルタ５ａができあがる。よって、紙製フィルタ５ａの開口を台紙２の片面に、透孔３が紙製フィルタ５ａの開口の中心に位置するように接着すれば、図５に示す紙パックフィルタ１ａが完成する。この紙パックフィルタ１ａも、紙製フィルタ５ａが蛇腹の四角筒状であるため、伸縮がスムーズに行われる。
【００２３】
このように、上記形態２の紙パックフィルタ１ａにおいても、紙製フィルタ５ａを、各側面１１，１２において山部６と谷部７とが交互に、且つ隣接する側面１１，１２間で山部６と谷部７とが周方向に揃うように形成され、山部６と谷部７とが同じ長さで表れる側面１１と、谷部７が山部６よりも短い長さで表れる側面１２とが交互に隣接する蛇腹となる角筒状に折り畳んだことで、同じ体積でも大きな表面積を確保できるのは勿論、交換等の際の折り畳みも簡単に行える。また、一枚の紙から角筒状に折り込むことができ、接着工程も最小限となるため、製造コストも低減される。
なお、この場合も底部９は紙製フィルタと一体に設けてもよいし、折り込み部の谷部の角度を変えて六角形や八角形等の角筒状としてもよい。
【００２４】
一方、吸塵機能付電動工具は、上記形態のように電動工具自体に吸込ファンが内設されて吸塵機能が具備される一体型は勿論、吸塵ボックスに吸込ファンが内設される別体型であっても、紙パックフィルタの採用は可能である。勿論吸塵ボックスへの装着構造も、台紙の突起をなくして台紙が嵌り込む溝を設けたり等、適宜設計変更可能である。
但し、本発明の紙パックフィルタは、吸塵機能付電動工具への適用に限らず、吸塵機能を備えず、本体ハウジングに設けた粉塵の排出ノズルに別体のダストバッグを任意に装着するマルノコ等の電動工具においても、ダストバッグ内に紙パックフィルタを収容して使用することは可能である。
【符号の説明】
【００２５】
１，１ａ・・紙パックフィルタ、２・・台紙、３・・透孔、４・・突起、５，５ａ・・紙製フィルタ、６・・山部、７・・谷部、８・・傾斜山部、９・・底部、１０・・折り線、１１，１２・・側面、１３・・折り込み部、２０・・吸塵ハンマードリル、２１・・前ハウジング、２２・・後ハウジング、２５・・収容室、２６・・吸込ファン、２７・・吸塵ボックス、２８・・接続口、２９・・フレキシブルホース、３３・・蓋体、３５，３６・・係合部、Ｐ・・紙、Ｓ１〜Ｓ４・・側面、Ｑ・・のりしろ部分。
【図１】
2010246605.tif 000003
【図２】
2010246605.tif 000004
【図３】
2010246605.tif 000005
【図４】
2010246605.tif 000006
【図５】
2010246605.tif 000007
【図６】
2010246605.tif 000008
【図７】
2010246605.tif 000009